(57)【要約】      （修正有）【課題】捕獲した貝の砂の飲み込みが少ない水流噴射式貝桁網を提供する。【解決手段】左右の側パネル２と、フレームとから基本骨格が構築される水流噴射式貝桁網１において、両側パネル２の下部位置には下方に向かって開口する横方向に並んだ複数のノズル１７を形成した第１の貯留タンク１５を配設し、第１の貯留タンク１５の前方位置に下方に向かって開口する横方向に並んだ複数のノズル１８を形成した第２の貯留タンク１６を配設する。海底に沈めた貝桁網１を船からロープで牽引し、第２の貯留タンク１６のノズル１８から低圧の圧力水を噴射させて貝の口を閉じさせ、第１の貯留タンク１５のノズル１７から高圧の圧力水を噴射させて貝を噴き上げて捕獲する。【選択図】図１
0003138739.tif 000002
【実用新案登録請求の範囲】
【請求項１】
牽引時に海底面を滑走するスライド面を有する左右の側壁部と、同両側壁部を連結するフレームとから基本骨格が構築され、同両側壁部間であってその下部位置には下方に向かって開口するとともに同側壁部の面方向と直交する方向に沿って配置される複数のノズルを形成した貯留タンク部を配設し、外部から同貯留タンク部に供給される圧力水を各ノズルに分散して供給することで海底に向かって圧力水を噴射させて噴射流で海底を攪拌し、その噴射流によって噴き上げられた貝を前記フレーム後方に連結された捕獲網部に収容するようにした水流噴射式貝桁網において、
前記貯留タンク部よりも前方位置であって前記両側壁部間には下方に向かって開口するとともに同側壁部の面方向と直交する方向に沿って配置される複数のノズルを形成したサブ貯留タンク部を配設し、外部から同サブ貯留タンク部に供給される圧力水を各ノズルに分散して供給することで海底に向かって圧力水を噴射させるとともに、その圧力水の圧力を貝を噴き上げない程度の低圧力としたことを特徴とする水流噴射式貝桁網。
【請求項２】
前記サブ貯留タンク部の前記ノズルの開口方向は進行方向に向かって傾斜していることを特徴とする請求項１に記載の水流噴射式貝桁網。
【請求項３】
前記貯留タンク部に隣接する位置には牽引時に海底面を引きずられるチェーン部材が配設されていることを特徴とする請求項１又は２に記載の水流噴射式貝桁網。
【考案の詳細な説明】
【技術分野】
【０００１】
本考案は海底の貝を捕獲するために使用されるいわゆる「マンガ」と呼称される貝桁網に関するものである。
【背景技術】
【０００２】
従来から海底の貝を捕獲するために「マンガ」と呼称される貝桁網が使用されている。貝桁網の一例として特許文献１を挙げる。特許文献１の貝桁網は掘削して貝を掘り起こす形式のものである。貝桁網には色々な種類があり、貝を掘り起こすためにポンプを使用し、海底に圧力水を噴射させて噴射流で海底を攪拌し、その噴射流によって噴き上げられた貝を捕獲する水流噴射式の貝桁網がある。
【特許文献１】実公平７−２６９３４号公報
【考案の開示】
【考案が解決しようとする課題】
【０００３】
水流噴射式貝桁網で問題なのは噴射流によって海底の砂が巻き上げられるため、貝（主としてアサリ）が砂を飲み込んでしまい、砂の多い貝を捕獲してしまうことである。特にアサリでは貝の中の砂が多いと商品価値が下がるため、従来から砂の飲み込みの少ない水流噴射式貝桁網が求められていた。
本考案は、このような従来の技術に存在する問題点に着目してなされたものである。その主目的とするところは、捕獲した貝の砂の飲み込みが少ない水流噴射式貝桁網を提供することにある。
【課題を解決するための手段】
【０００４】
上記の目的を達成するための第１の手段として、牽引時に海底面を滑走するスライド面を有する左右の側壁部と、同両側壁部を連結するフレームとから基本骨格が構築され、同両側壁部間であってその下部位置には下方に向かって開口するとともに同側壁部の面方向と直交する方向に沿って配置される複数のノズルを形成した貯留タンク部を配設し、外部から同貯留タンク部に供給される圧力水を各ノズルに分散して供給することで海底に向かって圧力水を噴射させて噴射流で海底を攪拌し、その噴射流によって噴き上げられた貝を前記フレーム後方に連結された捕獲網部に収容するようにした水流噴射式貝桁網において、前記貯留タンク部よりも前方位置であって前記両側壁部間には下方に向かって開口するとともに同側壁部の面方向と直交する方向に沿って配置される複数のノズルを形成したサブ貯留タンク部を配設し、外部から同サブ貯留タンク部に供給される圧力水を各ノズルに分散して供給することで海底に向かって圧力水を噴射させるとともに、その圧力水の圧力を貝を噴き上げない程度の低圧力としたことをその要旨とする。
第２の手段では第１の手段に加え、前記サブ貯留タンク部の前記ノズルの開口方向は進行方向に向かって傾斜していることをその要旨とする。
第３の手段では第１又は２の手段に加え、前記貯留タンク部に隣接する位置には牽引時に海底面を引きずられるチェーン部材が配設されていることをその要旨とする。
【考案の効果】
【０００５】
上記各請求項の考案では、捕獲した貝の砂の飲み込みが少なくなるため、商品価値の高い貝を捕獲することができる。
【考案を実施するための最良の形態】
【０００６】
以下、本考案におけるアサリ採取用の水流噴射式貝桁網を具体化した一実施例を図面に基づいて説明する。
図１〜図４に示すように本実施例の水流噴射式貝桁網１（以下、貝桁網１とする）は左右一対の対称形状の側パネル２を備えている。側壁部としての側パネル２は所定間隔をあけて対向配置された状態でパイプフレーム３によって連結されている。側パネル２はベルト状の長尺の側板４をＵ字状に屈曲させ補強用の縦フレーム５を溶接することでその骨格が構成されており、底部分が海底において船に牽引される際に海底を滑走するためのスケート部６とされている。側パネル２の前方側にはアーチ部７が形成され、アーチ部７に隣接する位置には前方側板８が取着されている。前方側板８より後方側には大開口部９が形成されており、大開口部９には網１０が貼着されている。前方側板８から上方に向かって張り出し部１１が前方側板８と一体的に突設されている。張り出し部１１にはフック取り付け孔１２が形成されている。フック取り付け孔１２の直下には小窓１３が形成されている。
【０００７】
小窓１３の下部位置には第１及び第２の貯留タンク１５，１６が配設されている。両貯留タンク１５，１６は筒状の容器体であって、左右の側パネル２の前方側板８間に懸架されている。両貯留タンク１５，１６には直列に複数のノズル１７，１８が形成されている。第１の貯留タンク１５のノズル１７は真下に向かって開口させられており、第２の貯留タンク１６のノズル１８は真下を基準として本実施例では１５度前方に振られた位置を向いて開口させられている。図３に示すように、第１の貯留タンク１５と第２の貯留タンク１６はホース１９によって連通されている。第２の貯留タンク１６は図示しない案内用の長孔に沿って上下方向に位置移動可能とされており、図示しない固定部材によって所望の上下位置で固定可能とされている。
図３に示すように、第１の貯留タンク１５の中央上部位置にはコネクタ２０が形成されており、船に搭載されたポンプ装置Ｐからの圧力水をメインホース２１を介して第１の貯留タンク１５内に導くようになっている。第１の貯留タンク１５内に導かれた圧力水は高圧状態でノズル１７から強い噴射流として噴射される。また、圧力水はホース１９を介して第２の貯留タンク１６にも導かれる。第２の貯留タンク１６内に導かれた圧力水は比較的低圧状態でノズル１７から弱い噴射流として噴射される。
図２に示すように、貝桁網１の下部位置であって左右の側パネル２間には第１及び第２の貯留タンク１５，１６の間と第１の貯留タンク１５の後方位置にそれぞれチェーン２３が緩く吊止されている。貝桁網１の後方下部位置にはすのこ２４が配設れている。最後部の縦フレーム５には捕獲網用のフック取り付け孔２５が形成されている。
【０００８】
次に、貝桁網１の使用方法を図４に基づいて説明する。
貝桁網１のフック取り付け孔１２にフック部材（本実施例では図示しない）を介してロープ２６を取り付け、船からの牽引が可能な状態として貝桁網１を海底に沈め、牽引を開始する。貝桁網１には捕獲網２７がフック取り付け孔２５を介してセットされている。牽引開始と同時にポンプ装置Ｐからの圧力水をメインホース２１を介して第１及び第２の貯留タンク１５，１６に供給する。牽引によって貝桁網１は次のような作用を実行することとなる。
まず、第２の貯留タンク１６のノズル１８の弱い噴射流は矢印で示す進行方向に若干向いて噴射される。この噴射流によって海底の泥や砂は大きく噴き上げられることはなくむしろ海底近くに潜っているアサリはこの噴射流の動を警戒して貝の蓋を強く閉じることとなる。この段階ではアサリはまだ潜ったままである。次いで、牽引によって第２の貯留タンク１６が通過すると今度は第１の貯留タンク１５のノズル１７からの強い噴射流によってアサリは周囲の泥や砂とともに攪拌され噴き上げられることとなる。しかし、既にアサリは貝の蓋をしっかりと閉じているためこの際に砂を飲み込んでしまうことはない。第１の貯留タンク１５が通過するとアサリはチェーン２３によって弾かれたり転がされたりして、すのこ２４から更に後方にセットされた捕獲網２７内に収容されることとなる。
【０００９】
なお、この発明は，次のように変更して具体化することも可能である。
・第２の貯留タンク１６のノズル１８の角度は上記の角度に限定されるものではない。上記実施例では真下を基準として本実施例では１５度前方に振られた位置であったがこれは１５度〜２５度程度が好ましい。
・チェーン２３はなくともよい。
・上記貝桁網１の形状は一例であって、要は第１及び第２の貯留タンク１５，１６が配設される構成であれば基本的な骨格形状は限定されるものではない。
・第２の貯留タンク１６への圧力水の供給は別途ポンプ装置を用意してもよい。また、メインホース２１の途中で圧力水を貯留タンク１６側に分岐させるようにしてもよい。
その他、本発明の趣旨を逸脱しない態様で実施することは自由である。
【図面の簡単な説明】
【００１０】
【図１】本実施例の貝桁網の側面図。
【図２】本実施例の貝桁網の底面図。
【図３】本実施例の貝桁網の正面図。
【図４】本実施例の貝桁網の使用方法を説明する説明図。
【符号の説明】
【００１１】
１…貝桁網、２…側壁部としての側パネル、３…フレーム、１５…貯留タンク部としての第１の貯留タンク、１６…サブ貯留タンク部としての第２の貯留タンク、１７，１８…ノズル、２７…捕獲網部としての捕獲網。
【図１】
0003138739.tif 000003
【図２】
0003138739.tif 000004
【図３】
0003138739.tif 000005
【図４】
0003138739.tif 000006